Podtech/llm-jp-corpus-v4-ja_patent huggingface dataset:
(57)【要約】【課題】  従来の着物の形や特徴を出来るだけ残しながら、扱いやすく、着易く、着崩れし難く、洋服との接点のある着物を提供する。【解決手段】  従来の着物を三部に分けて扱いやすく、着易くした。半襦袢状の上衣はブラースを、着物上部は洋服の上着を、着物下部はスカートを連想させるものである。半襦袢状の上衣をブラジャーと補助紐で結び合わせ、襟元の着崩れを防いだ。着物上部に帯通しを付け、帯のずれ落ちるのを防いだ。着物下部の左右の裾の端を切り取り、裾をさばき易くした。これにより、洋服に慣れて、着物が始めての人でもすぐに着られる。また、着崩れを気にせず、日常生活着として利用出来る。従来の着物の形を出来る限り残し、着用時に紐で微調整して体に合わせて着る事が出来、従来の着物の良さを充分味わう事が出来る。【選択図】図１
2009074225.tif 000002
【特許請求の範囲】
【請求項１】
左右の前身頃の端の胸の高さの位置にそれぞれ補助紐を付けた半襦袢状の上衣と、前記上衣に重ねて着る、左右前身頃、後ろ身頃、左右袖、及び衿とで構成され、左右前身頃の衿の端が体正面中央に揃い、後ろ身頃の背中心の左右に一対の帯通しを付けた、腰までの丈の着物上部と、下半身を覆う、上端縁一体に腰紐を縫着し、左右の裾の端を半円状に切り取った着物下部とからなる三部式簡易着物。
【発明の詳細な説明】
【技術分野】
【０００１】  本発明は、着易いよう工夫した三部式簡易着物に関する。
【背景技術】
【０００２】  着易く工夫した着物は、いろいろ考えられている。
【特許文献１】  特開２００２−２４２００６号公報
【発明の開示】
【発明が解決しようとする課題】
【０００３】  上記のように、今までにも、いろいろな着物が考えられている。その方法として、従来の着物には無かった、ダーツやファソナーやゴムを使ったり、ワンピースの様な着物にしたりしている。【０００４】  本発明は、従来の着物の形、特徴を出来る限り残しながら、着易く、着崩れし難く、洋服との接点を持ち、取り扱い易い着物を、工夫したものである。
【課題を解決するための手段】
【０００５】  本半襦袢状の上衣は、左右の前身頃の端の胸の位置に、補助紐を付ける。付け位置の高さは、着用時に、結び合わせるブラジャーの補助紐の付け位置より、２センチ高くなる所とする。これにより、補助紐を結び合わせた時、半襦袢状の上衣の前端が、常に、後ろ斜め下にひっぱられている状態になり、襟元の着崩れをしっかりと防ぐ事ができる。【０００６】  本着物上部は、左右前身頃、後ろ身頃、左右袖、及び衿とで構成され、腰までの丈で、後ろ身頃の帯を締める高さの背中心の左右に一対の帯通しを付ける。【０００７】  本着物下部は、上端縁一体に腰紐を縫着し、左右の裾の端を半円状に、切り取った着物下部である。これにより、裾さばきし易くなった。【０００８】  そして、多くの女性が利用している、ブラジャーを使う。あらかじめ、図７のようにブラジャーの脇下より後ろに補助紐を付けておく。まず、ブラジャーを着用し、ノースリーブ状の肌着を着る。その上から本半襦袢状の上衣を着て、その左右の補助紐と、ブラジャーの補助紐を結び、胸元の着崩れを防ぐ。【０００９】  次に、本着物下部を着る。腰紐を締めながら、同時に、半襦袢状の上衣も押さえる。【００１０】  次に、本着物上部を着て、別に用意した腰紐を結ぶ。この時、腰紐は帯通しを通す。そして、帯を締める。一巻き目は帯通しを通す。二巻き目は帯通しは通さず上から締める。帯を結ぶ。一人で着るとき、あらかじめ体の前で帯を結びあとから後ろへ回す場合は、片方の帯通しにだけ一巻き目に帯を通す。これにより、帯が落ちて来るのを防ぎ、活動し易くなった。【００１１】  胸元を半襦袢状の上衣でしっかり整えてあるため、重ねて着る着物上部は、前が開いても大丈夫になり、左右前見頃の端が体正面中央に揃う形を取り入れることができる。
【発明の効果】
【００１２】  着物を三部に分ける事により、扱い易く、着易くなった。【００１３】  本発明は、多くの女性が利用するブラジャーを使い、補助紐で結び、半襦袢状の上衣の胸元の着崩れを防ぐことにより、その他は、ほとんど従来の着物のままであり、着用時に紐で微調整して体に合わせて着るという着物の特徴を充分に味わえるものである。【００１４】  胸元の着崩れを、半襦袢状の上衣の補助紐で、帯の着崩れを、帯通しで、裾さばきを裾端を切り取って、防ぎ着易くしたために、洋服に慣れて始めて着物を着る人でも、すぐに、長い時間、暮らしの中で活動しながら着用出来る。【００１５】  半襦袢状の上衣はブラースを、着物上部は洋服の上着を、着物下部はスカートを連想させるものである。また、着物上部の前身頃の衿の端を体前中央に揃える形を取り入れる事が出来ることは、洋服との接点が出来て親しみ易いことである。
【発明を実施するための最良の形態】
【００１６】  半襦袢状の上衣は、重ね着する時に内側に着るのに適した材質の布を使用する。
【図面の簡単な説明】
【００１７】
【図１】  三部式簡易着物を着た時の正面図
【図２】  同上背面図
【図３】  半襦袢状上衣
【図４】  着物上部の正面図
【図５】  同上背面図
【図６】  着物下部
【図７】  ブラジャー背面図
【符号の説明】
【００１８】    １      半襦袢状上衣の補助紐
２      着物上部の後ろ身頃
３      同上右袖
４      同上右前身頃
５      同上衿
６      同上左袖
７      同上左前身頃
８      同上帯通し
９      着物下部の腰紐
１０      同上裾端の切り取り部
１１      ブラジャーの補助紐
【図１】
2009074225.tif 000003
【図２】
2009074225.tif 000004
【図３】
2009074225.tif 000005
【図４】
2009074225.tif 000006
【図５】
2009074225.tif 000007
【図６】
2009074225.tif 000008
【図７】
2009074225.tif 000009
(57)【要約】【課題】  子供が玩具で遊んでいるとき、大人は遠くで見守るしかなく、スキンシップが取れなかったり、勉強をにおわせる、知育玩具等は子供は一人では遊びたがらなかったりすることがあるが、それを解決し、大人が子供を抱きかかえながら、子供の能力を伸ばしていってあげられる、玩具付き着物を提供する。【解決手段】着物において、着物に取り付け具を設計、玩具を取り付けることを特徴とした、玩具付き着物。【選択図】図１
2009074220.tif 000002
【特許請求の範囲】
【請求項１】
着物において、着物に取り付け具を設計、玩具を取り付けることを特徴とした、玩具付き着物。
【発明の詳細な説明】
【技術分野】
【０００１】  本発明は、大人が子供を抱きかかえながら、子供の能力を伸ばしていってあげるための、玩具付き着物に関するものである。
【技術背景】
【０００２】  従来は、着物と玩具とは別々だった。
【発明の開示】
【発明が解決しようとする課題】
【０００３】  そのためには次のような問題点があった。
（イ）子供が玩具で遊んでいるとき、大人は遠くで見守るしかなく、スキンシップが取れないことがあった。
（ロ）勉強をにおわせる、知育玩具等は子供が一人ではあそびたがらないことがあった。
本発明は、以上の問題点を解決するためになされたものである。
【課題を解決するための手段】
【０００４】  着物において、着物にとりつけ具を設計、玩具を取り付けることを特徴とした、玩具付き着物。
【発明の効果】
【０００５】  大人が子供を抱きかかえながら、一緒に遊びながら、子供の能力をのばしていってあげられる。
【発明を実施するための最良の形態】
【０００６】  着物において、着物に取り付け具を設計、玩具を取り付けることを特徴とした、玩具付き着物。
ゼッケン風着物、トレーナー、Ｔシャツ、シャツ、エプロン等の着物に、玩具を直接縫い付ける。
または取り外しできるよう、ボタンで付ける。
マジックテープ（登録商標）で付ける。
ホックでとめる。
紐で縛る等の留め方で、着物に玩具をとりつける。
本発明は以上の構成からなるので、本発明を使用するときは、人間が本発明を着て、人間を抱きかかえながら、着物についた玩具で遊ぶ。
【実施例１】
【０００７】  取り付ける玩具は、知育玩具にしてもよい。
【実施例２】
【０００８】  着物に、抱っこするときや、玩具を使わないとき、玩具が邪魔にならないよう、片側ずつ開閉できる、カバーをつけてもよい。
【図面の簡単な説明】
【０００９】
【図１】本発明の正面図
【図２】本発明の斜視図
【図３】本発明の実施例２の正面図
【図４】本発明の実施例２の斜視図
【図５】本発明の実施例２の正面図
【図６】本発明の実施例２の正面図
【図７】本発明の使用状態を示す斜視図
【符号の説明】
【０００１０】１着物
２玩具
３玩具
４玩具
５玩具
６玩具
７玩具
８玩具
９着物
１０カバー
１１玩具
１２玩具
１３ボタン
１４玩具
１５玩具
１６玩具
１７ボタン
１８玩具
１９玩具
２０玩具
２１カバー
２２玩具
２３ボタン
【図１】
2009074220.tif 000003
【図２】
2009074220.tif 000004
【図３】
2009074220.tif 000005
【図４】
2009074220.tif 000006
【図５】
2009074220.tif 000007
【図６】
2009074220.tif 000008
【図７】
2009074220.tif 000009
(57)【要約】      （修正有）【課題】回転炉において粘度及び含水比の高い物質を乾燥・燃焼する場合に発生する固結を防止・拡散し、燃焼効率を向上させることを提供する。【解決手段】回転炉の燃焼物投入及び乾燥範囲に、螺旋状の鋼帯を耐熱材４より高く設ける。鋼帯は数個に分割し炉体の温度変化に伴う伸縮に対応し得るように、かつ炉の回転方向に対し前後の鋼帯が重複して設置する。これにより投入された物質は鋼帯の回転により拡散されるため固結の防止と、燃焼空気の混合が促進され燃焼効率の向上がはかれるようにしたこと。【選択図】図１
2009074783.tif 000002
【特許請求の範囲】
【請求項１】
回転炉により含水比と粘度が高い物質を燃焼する場合、燃焼初期には固結するので回転炉低温帯に螺旋状の鋼帯を設け粘質物を破砕・拡散することを特徴とする破砕拡散装置。
【請求項２】
前記螺旋状の鋼帯は炉内の温度変化により膨張・収縮により耐火壁を破損することが予測されるので、円周に対して３ないし４分割とし、各々分割した鋼帯は水平方向に一部重複して設置し、炉内に投入された粘質物を破砕・拡散することを特徴とする破砕拡散装置
【発明の詳細な説明】
【発明の詳細な説明】
【技術分野】
【０００１】本発明は回転式燃焼炉に関するものである。
【背景技術】
【０００２】従来、回転式燃焼炉は炉を回転することにより燃焼のために投入された塵埃等を移動させながら燃焼空気と混合して燃焼させる方式である。この方法による場合、投入された焼却対象物の粘性が低い場合には含水比が高くても炉が回転することにより、乾燥から焼却に至る工程に差ほど支障は見られなかった。
一方、粘性が高くかつ含水比の高い物質（鶏糞等）又は比重の高い物質は炉の回転によっても拡散出来ずに炉低で固結状態になり空気混合が出来ずに燃焼不良となり、固結の繰り返しにより形状は段々大きく強固になり炉内からの搬出が困難な状態であった。
この為高粘質物あるいは高含水の物質の焼却には乾燥・破砕工程を必要とし、大規模な施設を必要とした。
【本発明が解決しようとする課題】
【０００３】本発明は上記の問題点を解決することを目的とするもので、炉の内部に螺旋形の鋼帯を一定高さに設置して、投入物を炉の回転と螺旋状鋼帯により破砕拡散させることにより燃焼空気の勘合を促進し乾燥・燃焼の効率を促進するものである。
【課題を解決する手段】
【０００４】本発明の手段は次のとおりである。
請求項  １の発明は、図−１に示すように回転炉の投入部の乾燥帯部分に螺旋状の耐熱鋼帯を設けるが炉内温度上昇により発生が予測される伸縮による溶接部の離反に対応するため鋼帯を３〜４分割とすることを特徴とする。
請求項  ２の発明は３〜４分割された螺旋状の鋼帯は、炉の円周方向において一部重複して設置する。投入物は螺旋状に設置された鋼帯により炉の回転に伴い水平・回転方向に移動し安息角を越えた時点で炉底方向に崩落する。崩落した物質は次の螺旋状に設置された鋼帯で受け止められ、順次同様の工程を繰り返すことにより、燃焼用空気との混合を良好にして乾燥効率を向上させることを特徴とする。
請求項  ３の発明は粘性及び含水比が高い鶏糞類を燃焼する場合、当初表面は酸化するが内部の粘質物は酸化せずに温度上昇に伴い溶出しお互いの鶏糞同士が固結する。螺旋状鋼帯は炉の回転に伴って燃焼物を固結する前に攪拌・拡散させながら乾燥・燃焼させるため固結を防止することを特徴とする。
【発明実施の形態】
【０００５】図面は本発明の実施例をしめしたもので図面−１は回転炉の投入部を示したものであり、図年−２は炉の内部の展開図である。図面−３は回転炉の断面を示す。
【０００６】前記構造体の外殻５は鋼材を使用し、その内部に一定の厚さを有する耐熱材４により所定の厚さに被覆する。実施例では５にＳＳ４００を使用し、内部耐熱材は旭キャスターＣＡ１３を使用した。
【０００７】図中の符号１〜３は螺旋状に鋼帯を示すが１〜３は鋼帯を３分割した各々の番号である。符号ｅは各鋼帯が１〜３に分割された点６における鋼帯１と２・２と３，・３と１の設置間隔である。ｅの値は鋼帯の長さＬの１／３に相当する水平方向の長さ程度を妥当とする。符号θは螺旋状鋼帯の傾斜を表し、その値は炉の内径（Ｄ）・炉の水平方向傾斜（Ｉ）及び回転速度（ｎ）より決定する。
θ＝ｔａｎ  Ｉ・Ｄ・ｎ
【０００８】符号７は各鋼帯の耐熱被覆４からの突出高さを表しており、突出高さ７の値は投入物質の性状により決定するが、通常５〜７ｃｍの範囲とする。実施例では５ｃｍとした。
【０００８】符号ｔは鋼帯の設置間隔を示すが、ｔの値は投入物質の性状・量によるが通常２０〜２５ｃｍ程度とする。
【発明の効果】
【０００９】本発明は、高含水・高粘質の物質を同一工程の中で処理する事を可能としたものであり、燃焼空気の混合を促進し燃焼効果を高める事により、リサイクル事業並びに産業廃棄物処理の焼却技術に貢献するものである。
【図面の簡単な説明】
【図１】    回転炉縦断図
【図２】    炉内展開図
【図３】    Ａ−Ａ断面図
【符号の説明】
１    鋼帯−１
２    鋼帯−２
３    鋼帯−３
４    耐熱材
５    炉外殻
６    鋼帯切断位置
７    鋼帯の耐熱材からの高さ
ｅ    円周方向の鋼帯の設置間隔
Ｌ    単位鋼帯の長さ
ｔ    鋼帯の間隔
θ    螺旋状の角度
【図１】
2009074783.tif 000003
【図２】
2009074783.tif 000004
【図３】
2009074783.tif 000005
(57)【要約】      （修正有）【課題】使い捨てできる折り畳み式、取り付け外しが可能なサイドガードを、キッチン内のレンジフード側下部に取り付ける。【解決手段】サイドガードをフードレンジ下部の両側２ケ所、または１面がキッチン自体の壁面である場合はその反対側１ケ所に取り付け、加熱調理からでる油煙、匂い、油はねなどの汚れの拡散をより効果的に止めることで、より清潔な住空間を得ることができる。サイドガードは折り畳み式なため、使わない際はコンパクトに折り畳むことが可能である。また使い捨てが可能でいつも清潔なキッチンの環境を保つことが可能となる。【選択図】図１
2009074785.tif 000002
【特許請求の範囲】
【請求項１】
使い捨て出来る折り畳み式、取り付け、外しが可能なレンジフード用サイドガード
【発明の詳細な説明】
【技術分野】
【０００１】  本考案では、使い捨てできる折り畳み式、取り付け外しが可能なサイドガードを、キッチン内のレンジフード側下部に取り付ける。この側下部とは、レンジフードの下部両サイドの２ケ所、またはレンジフード下部の１面サイドがキッチン自体の壁面である場合は、その反対側のサイド１ケ所のみを指す。このサイドガードは、レンジフード側下部に専用着脱テープによって取り外すことのできる使い捨てタイプのもので、汚れたら即座に新しいサイドガードを取り付けることが出来、簡便なものである。
【背景技術】
【０００２】  従来のレンジフードではシステムキッチンの型、設置場所などの関係や本考案で示すようなサイドガードがないために、油煙、匂いなどの捕集能力が低く、油はねや加熱調理上の汚れを防ぐことが出来ず、レンジ周辺はもちろんのことキッチン、家中を汚してしまうという難点があり、解決が望まれた。
本考案は、こうした難点を見て、使い捨て出来る折り畳み式、取り付け、外しが可能なサイドガードをレンジフードの側下部両サイドの２ケ所、またはレンジフード側下部の１面サイドがキッチン自体の壁面である場合は、その反対側のサイド１ケ所に取り付けることに至り、加熱調理上の油煙、匂い、油はねなどの汚れをレンジフードが捕集する能力をより向上するものである。
【発明の開示】
【発明が解決しようとす課題】
【０００３】  従来のレンジフードでは、本考案で示すようなサイドガードがないために、加熱調理から出る油煙、匂い、油はねなどの汚れを、本来望まれたように捕集することができずに、レンジ周辺、キッチン、家全体を汚してしまうという結果に至った。
サイドガードをフードレンジ下部の両側２ケ所、または１面がキッチン自体の壁面である場合はその反対側１ケ所に取り付け、加熱調理からでる油煙、匂い、油はねなどの汚れの拡散をより効果的に止めることで、より清潔な住空間を得ることができる。
本考案のサイドガードは折り畳み式なため、使わない際はコンパクトに折り畳むことが可能である。また使い捨てが可能で、専用着脱テープにより取り付け、外しができるため、汚れたら簡単に取り外して捨て、新しいサイドガードを素早く取り付けることが出来簡便で、いつも清潔なキッチンの環境を保つことが可能となる。
【課題を解決するための手段】
【０００４】  本考案は、レンジフード下部の両サイド２ケ所、または１面がキッチン自体の壁面である場合はその反対側１ケ所に取り付けることにより、加熱調理からでる油煙、匂い、油はねなどのよごれを捕集する能力をより向上することで清潔なキッチン、住空間の環境を保つことができる。
【発明の効果】
【０００５】  レンジフード下部の両サイド２ケ所、または１面がキッチン自体の壁面である場合はその反対側１ケ所に取り付けることにより、加熱調理からでる油煙、匂い、油はねなどのよごれを捕集する能力をより向上する。
また、使わない際は、折り畳み式なので、折り畳むことにより収納が可能で、すっきりとしたキッチンの外観を保つことができる。
また、専用の着脱テープにより、汚れた際は取り外し、使い捨てが出来、新しい清潔なサイドガードを素早く取り付けることができるので、使用上の手間は簡便である。
【発明の実施するための最良の形態】
【０００６】  以下、本発明の実施の形態を図に基づいて説明する。
【０００７】  キッチン内レンジフード下部の両サイド２ケ所、または１面がキッチン自体の壁面である場合はその反対側１ケ所にサイドガードを取り付ける。折り畳み式なので、折り畳み収納が可能である。専用着脱テープによって、取り付け、外し、使い捨てを可能とする。
【図面の簡単な説明】
【０００８】
【図１】本発明の実施形態を示すサイドガードの全体図
【符号の説明】
【０００９】［図１］１  本考案のサイドガード
【図１】
2009074785.tif 000003
【手続補正書】
【提出日】平成20年4月22日(2008.4.22)
【手続補正２】
【補正対象書類名】特許請求の範囲
【補正対象項目名】請求項１
【補正方法】変更
【補正の内容】
【請求項１】
使い捨て折り畳み、取り付け、外しが可能なレンジフード用サイドガード
(57)【要約】【課題】地球温暖化を防ぐため、京都議定書がつくられ、二酸化炭素などの温室効果ガスの排出削減を義務付けられている。いかにして温暖化を最小限に抑えることができるかが全世界の課題である。【解決手段】本案は小さなエネルギーで大きなエネルギーを発生させて電気を起こすものであるが、原理は大自然の重力と浮力のエネルギーを組合わせた新しいエネルギーを開発したものである。例えば、石油等資源に乏しい我国などは、自然エネルギーを利用するので動力源となる燃料はまったく必要でなく、無煙、無臭で公害もなく自然環境に優しく、地球温暖化防止に一役立つものである。【選択図】図２
2009074526.tif 000002
【特許請求の範囲】
【請求項１】
水槽の水の中に試験管のような筒に空気を入れ、さかさにして沈め、筒の上部に錘りを乗せ、空気の浮力を利用し、錘りの重さより浮力を大きくして、錘りを浮かせる。
【請求項２】
水槽の水の中に水と同じ重さの物体を沈め、物体の体積だけ水槽の水を上昇させる。又、沈めた物体を水面より引上げると、水槽の水はもとの水面に戻ると同時に、錘りは重力で下がる。これを繰り返し水に浮かべた錘りを上下運動をさせて電気を起こす。
【請求項３】
合力のつりあっている車輪の先に水と同じ重さの物体を吊し、物体を水面より上げたり沈めたりさせる。
以上請求項１〜請求項３までの浮力と重力と合力のつりあっている車輪を組み合わせ、一体となって小さな力で大きな力を生み出す発電装置。
【発明の詳細な説明】
【技術分野】
【０００１】本発明は浮力、重力等の自然エネルギーを利用した発電装置。
【背景技術】
【０００２】従来の発電装置は水力、火力、風力、原子力等のエネルギーであったが、本案は今までにない浮力と重力とをかみ合わせたエネルギーを利用した新たな発電装置である。
【発明の開示】
【発明が解決しようとする課題】
【０００３】地球温暖化が問題視されている現在、石油の使用により地球全体が汚されており、悪影響を及ぼし動植物を死に追いやっている。本案のエネルギーは自然のエネルギーを活用しているので、公害もなく又、無限のエネルギーで美しい地球を守るのに公害等をなくすものである。
【課題を解決するための手段】
【０００４】現在の電源は先に述べた通り、水力発電、火力発電、風力発電、原子力発電等があるが水力発電はダム建設の費用と、土地買収等に莫大な資金が必要で、又、雨の少ない年は水量が足りなくなり、充分な発電ができない場合もあり、火力発電は石油燃料等、発電するのに経費が常時必要で石油価格の高騰もあり経済的でない。又、煙害もある。風力発電は風があるときのみ発電ができ、風がないと電力を得ることができないので不安定である。原子力発電は放射濃漏れ、機械の老朽化、制御棒の破損等、人体環境に悪影響を及ぼしかねない。又、使用済核燃料の処理等、社会問題がある。本案は公害もなく自然のエネルギーを利用しており、今までの電源装置より利点が勝っている。尚、本案は全国津々浦々、水が容易に調達できる所であれば建設することができる。
【発明の効果】
【０００５】原子力、石油等のエネルギーは公害を生み、敬遠され本案は、本来の自然エネルギーを変えないで応用するので、効果は充分ある。
【発明を実施するための最良の形態】
【０００６】（イ）静止液体内では、水面上の各点の圧力は等しい。
（ロ）静止液体内の圧力は深さで定まる。
（ハ）液体表面に浮かぶ物体に働く力は重力と浮力で、この二つの力がつり合っている。
上記（イ）〜（ハ）の浮力、重力の法則により〔図１〕の（１）の水槽に水を入れ、水の中に空気を入れた筒を逆さに番号３の筒を沈めて、その上に番号２の錘りを乗せて、錘りを浮力で浮かせる。次に、〔図１〕の（１）の番号１の水より重い物体を水槽に沈めると、物体の体積だけ水面は上昇し、〔図１〕の（２）の状態になり、水面は（Ａ）〜（Ｂ）まで上昇する。
次に水槽に沈めた物体を引き上げると、もとの水面に戻り〔図１〕の（１）になる。
物体を連続上げたり下げたりすることにより、水面が上がったり下がったりすることにより錘りが下がるエネルギーを利用し、回転運動をさせて電気を起こす。【０００７】〔図１〕の（１）の番号１の物体を沈めたり、引き上げたりするには〔図２〕の番号９の車輪を回転させる。合力のつりあっている車輪であるので、小さな力で回転させることができる。但し、回転させるには、他のエネルギーを必要とする。【０００８】本案は、水が深ければ深いほど重量の重い錘りを浮かせ、落下させて大きなエネルギーが得られる。
【産業上の利用可能性】
【０００９】水は何千トンの船舶等を浮かせる力があり、この浮力のエネルギーを本案は利用するもので、自然の力を活用するものである。石油のように燃料として消費するものでもなく、浮力のエネルギーは無限にあり、海上、湖上でも水を容易に確保できる場所であれば、どこでも本案の利用可能性は大である。
【図面の簡単な説明】
【００１０】
【図１】本案の原理の断面図  （１）水中に物体を沈める前の状態図  （２）水中に物体を沈めた時の状態図
【図２】  本案の総体断面図
【符号の説明】
【００１１】１  水中に沈める物体
２  浮力に乗せる錘り
３  浮力の筒
４  空気
５  水
６  水槽
７  主軸
８  発電器
９  車輪
【図１】
2009074526.tif 000003
【図２】
2009074526.tif 000004
(57)【要約】      （修正有）【課題】従来の洗面器は手動式レバー型水栓で洗顔する場合は水を出し、両手の平で水を受けて洗顔を行うが、両手の平に水を溜めたままでは容易に水を止めることができないので、水を出しっ放しにして、洗顔を行っているのが実情で非常に不経済である。  両手の平に水を受けて水を手の平に溜めたままの状態で容易に止水、吐水ができる洗面器用水栓の節水レバーの提供。【解決手段】「上げると出る」方式の洗面器の手動式水栓用レバー１に連動する節水レバー２を設け、止水時、節水レバー２の先端３を吐水口４の前面に位置し、吐水口４より適宜の長さ突出するように設置し、先端３に指掛け部５を設ける。【選択図】図１
2009074342.tif 000002
【特許請求の範囲】
【請求項１】
「上げると水が出る」方式の洗面器の手動式水栓用レバー（１）に連動する節水レバー（２）を設け、止水時、節水レバー（２）の先端（３）を吐水口（４）の前面に位置し、吐水口（４）より適宜の長さ突出するように設置し、先端（３）に指掛け部（５）を設けてなる洗面器の手動式水栓の節水レバーの構造。
【発明の詳細な説明】
【技術の分野】
【０００１】  本発明は洗面器の手動式水栓用の節水機能付レバーにかんするものである。
【背景技術】
【０００２】    従来の洗面器の手動式レバー型水栓で洗顔をする場合は水を出し、両手の平で水を受けて洗顔を行うが、両手の平に水を溜めたままでは容易に止水ができないので水を出しっ放しにして洗顔を行っているのが実情である。出しっ放しにして洗顔を行うことは非常に不経済である。全国的に見ると膨大な水の損失がおこなわれている。
【発明の開示】
【発明が解決しようとする課題】
【０００３】  本案は洗顔時水を出しっ放しにすることなく、両手の平で水を受け、手の平に水を溜めたままの状態で簡単に止水と吐水ができる洗面器の手動式水栓用節水レバーの発明である。
【課題を解決するための手段】
【０００４】  本案は「上げると水がでる」方式の洗面器の手動式水栓用レバー（１）に連動する節水レバー（２）を設けてなるもので、止水時、節水レバー（２）の先端（３）を吐水口（４）の前面に位置し、吐水口より適宜の長さ突出するように設置し、先端（３）に指掛け部（５）を設けてなるものである。
【発明の効果】
【０００５】  本案付洗面器で洗顔する場合、節水レバー（２）の先端（３）を指または手の平で押し上げると連動して手動式水栓用レバー（１）が押し上げられて吐水する。両手の平で水を受け、手に適量の水が溜まれば、水を溜めたままで親指先を指掛け部（５）に掛けて引き下げると連動して手動式水栓用レバー（１）が引き下げられて止水する。以上の動作を繰り返して吐水と止水とをしながら洗顔できるので節水になる。手動式水栓用レバー（１）を操作しても吐水、止水ができる。
従来のように勿体無いと思いつつも出しっ放しで洗顔するのに比べて、手に水を溜め、止水してゆっくり洗顔できるので年間を通じて膨大な量の節水になり、家族が多い場合は特に節水の経済効果がある。
渇水期における各家庭の水の節約は大変大切なことで本案洗面器用水栓は環境問題にも貢献できる。
本案は「下げると水がでる」方式の洗面器用水栓にも応用できる。
【図面の簡単な説明】
【０００６】
【図１】本発明の止水時の側面図
【図２】本発明の吐水時の側面図
【符号の説明】
【０００７】  １  手動式水栓用レバー
２  節水レバー
３  節水レバーの先端
４  吐水口
５  指掛け部
【図１】
2009074342.tif 000003
【図２】
2009074342.tif 000004
(57)【要約】【課題】この発明は一方を閉じた鉄製筒の中の杭の頭から挿入して垂直に保持し、把手に手を添えて筒を持ち上げ打ち下ろしの反覆操作を行い、地面へ杭を打ち込む道具に関するものでこれを提供するものである。【解決手段】鉄製筒の両翼に対称形にパイプの把手を取り付け、筒の一端は閉塞側で小さく他端を大きくラッパ状にひらけた形に加工し、閉塞側は打撃面で鉄板を強固に熔接した筒ハンマー。【特許請求の範囲】
【請求項１】
鉄製筒の両翼に対称形にパイプの把手を取り付け、筒の一端は閉塞側で小さく他端を大きくラッパ状にひらけた形に加工し、閉塞側は打撃面で鉄板を強固に熔接した筒ハンマー
【発明の詳細な説明】
【技術分野】
【０００１】一方を閉じた鉄製筒の中へ杭を頭部から挿入し、垂直に保持し、把手を握って筒の持ち上げ打ち下ろしの反覆操作を行い、地面等へ杭を打ち込む方式の道具に関するものである。
【背景技術】
【０００２】従来の動力式のものは筒が細くて、太い杭は頭部を削って使う掛矢、あるいは両頭ハンマーは場所によって２人掛りで作業し、長い杭は足場を整える必要があった。
【発明の開示】
【発明が解決しようとする課題】
【０００３】動力式の杭打機はエンジン音が耳に近く、排気臭が衣服について容易に取れない。一般には掛矢、もしくは両頭ハンマーが主流だったが、杭の頭が割れたり、打ち損ねる事が多く、保定する為に手を添えている人が危険である。長い杭は足場を整える必要があり、手間がかかり作業が容易にはかどらない。筒状のハンマーは一端が切断状態なので、打ち下ろす際、杭の表面を削って円滑に打てない。
【問題解決の手段】
【０００４】鉄製筒の両翼に対称形にパイプの把手を取り付け、筒の一端は閉塞側で小さく他端を大きくラッパ状にひらけた形に加工し、閉塞側は打撃面で鉄板を強固に熔接した筒ハンマー。
【発明の効果】
【０００５】一般に使用されている掛矢、両頭ハンマーに比べ、筒ハンマーは取り扱いが少し異なるが、作業中反覆操作で杭が下がるに応じて、順次把手の握り方が上方へ移行する。その際把手が不定形なので、手触り感覚でほぼ均等に支えられ、常に垂直状態で作業ができる。筒の一端がラッパ状になっているので、打ち下ろす際、杭の外周を削って傷をつけたり、又節などに引っかからず、円滑に作業ができる。反覆操作も筒の長さ行程内で行うが、誤って外れた場合でもラッパ状の周辺に沿って内部に案内される。筒の閉塞側を僅かにひらけることによって、鉄板の嵌め込み、仮付けが容易となり、更に熔接開先となり、強固な熔接ができる。２ｍ近い杭を一人で打つことができる。特に杭を入れる開口部がラッパ状になっているので、片手で簡単に挿入できる。打撃面が平らなので杭の頭を傷めることがない。接地面積が広く、容易に倒れない。
【発明を実施するための最良の形態】
【０００６】以下、本発明の実施の形態及び使用法について説明をする。（１）と（７）の両端はそれぞれひらける部分で（１）は小さく熔接開先を兼ねて、打撃面の鉄板が嵌め易い様に、縦方向に、鉄板の厚みとほぼ同等にひらける。（７）はラッパ状に大きくひらける。（２）打撃面の鉄板で逆打ちもできる。（３）頭部に発生する圧縮空気の排気孔（４）不定形把手で対称形に取り付けられ手の高さ感覚が容易に判断できる。（５）筒本体用途により、５インチ、４インチ鉄管（６）把手取り付け棒は、パイプ側に穴を開け突き入れてある。（７）のラッパ状開口部に杭の頭部を挿入して垂直に立てて、筒を持ち上げ打ち下ろしの操作を行程内の長さの範囲で反覆して行い、打撃の際、手に振動が伝わるので、打撃寸前に両手を放すと円滑に作業ができる。
【図面の簡単な説明】
【０００７】
【図１】正面図で杭の頭を挿入する状態
【図２】側面図  写真は実施例
【符号の説明】
【０００８】１．小さくひらけた開先  ２．打撃面の鉄板  ３．空気排出孔  ４、把手  ５．筒本体  ６．取り付け棒  ７．ラッパ状にひらけた状態  ８．杭の頭部
【図１】
2009074341.tif 000002
【図２】
2009074341.tif 000003
(57)【要約】      （修正有）【課題】どの隅も同じ手つきで出来、経験を積まなくともきれいな仕上がりが期待できる平型壁紙工事用カット定規を提供する。【解決手段】平板１の端を敵宜な角度に曲げ、折り目に添って細窓４を設け、定規８の縁の裏部分に厚みを設け、先端に向かって斜めカット６を設け、平板１裏側窓左側にそって指ガード用の桟７を設ける。【選択図】図１
2009074340.tif 000002
【特許請求の範囲】
【請求項１】
平板の端を適宜な角度に曲げ、折り目に添って細窓を設けたことを特徴とした壁紙工事用カット定規。
【発明の詳細な説明】
【技術分野】
【０００１】  本発明は壁紙工事用カット定規に関するものである。
【背景技術】
【０００２】  従来、平型カット定規は、多数販売している。
【発明の開示】
【発明が解決しようとする課題】
【０００３】  そのために、次のような問題点があった。
（イ）右枠側及び上枠側カット仕上げ工事がやりにくく、大変難しかった。
（ロ）切り口が曲がったりずれたりして、大変経験を必要とする。
本発明は、これらの問題点を解決するためになされたものである。
【課題を解決するための手段】
【０００４】  平板の端を敵宜な角度に曲げ、折り目に添って細窓を設ける。
又、縁には厚みを設け、先端に向かって斜めカット仕上げをする。
以上を特徴とする壁紙工事用カット定規である。
【発明の効果】
【０００５】  どのスミのカットも同じ手つきで出来、経験を積まなくとも綺麗な仕上がりが期待できる。
【発明を実施するための最良の形態】
【０００６】  以下、本発明の実施の形態について説明する。
（イ）本体平板（１）の端を敵宜な角度に曲げ、折り目に添って細窓（４）を設ける。
（ロ）定規の縁裏に厚みを付け先端に向かって斜めカット（６）を設ける。
（ハ）本体（１）裏側窓左側にそって、指ガード用の桟（７）を設ける。
本発明は以上のような構成で、これを使用するときは本体（１）の左中心部分を持ち右枠スミ上枠スミのカット仕上げ時は、窓（４）の内側を定規にして、カッターを使って切る。又、他の部分カット時は左側定規（８）を使用する。
更に、カット部分にミミを付ける時は、斜めカット（６）を利用して角度を変えて持ちカットすることで簡単にミミ付き仕上げが出来る。
【図面の簡単な説明】
【０００７】
【図１】本発明の斜視図
【図２】本発明の使用状態を示す断面図
【符号の説明】
【０００８】  １  本体平板
２  滑り止めゴム
３  曲げる
４  細窓
５  内定規
６  縁斜めカット
７  指ガード用桟
８  平定規
【図１】
2009074340.tif 000003
【図２】
2009074340.tif 000004
(57)【要約】【課題】  キーホルダーが鍵のレバーとしての役目を提供する。【解決手段】  キーホルダーが、鍵のレバーの役目を持たすことを特徴とするレバーハンドルキーホルダー。【選択図】図２
2009074338.tif 000002
【特許請求の範囲】
【請求項１】
キーホルダーが、鍵のレバーの役目を持たすことを特徴とするレバーハンドルキーホルダーである。
【発明の詳細な説明】
【技術分野】
【０００１】  本発明は、キーホルダーが鍵のレバーとしての役目を持たせたことを特徴としたレバーハンドルキーホルダーに関するものである。
【背景技術】
【０００２】  ユニバーサルデザインなど、手の不自由な方の対策として、公営住宅でも玄関ノブをレバー式に変更している。しかし、鍵に対しての配慮がしてないので、現在使用している鍵をレバーハンドルキーホルダーに取り付けることでレバーのような使い勝手で鍵を使用することができる。
【発明の開示】
【発明が解決しようとする課題】
【０００３】  手の不自由な人のために、ドアノブをレバー式に取替えることができるが、鍵は従来通りの使用方法のままである。本発明は、以上の問題点を解決するためになされたものである。
【課題を解決するための手段】
【０００４】  現在使用の鍵をキーホルダーに装着して、レバーのように使用できる。
以上を特徴とするレバーハンドルキーホルダーである。
【発明の効果】
【０００５】  手の不自由な人が、少しの力で簡単に操作することができ、キーホルダーになっているので紛失する心配がない。
【発明を実施するための最良の形態】
【０００６】  以下、本発明の実施の形態を説明する。
（イ）キーホルダー本体（１）の両端に支点（２）を設ける。
（ロ）一方の支点（２）に鍵（３）を装着する。この支点は、鍵（３）とキーホルダー本体（１）が支点を中心にくの字に変形してレバーのようにキーホルダーが動く構造とする。
（ハ）他方の支点（２）にフック金具（４）を装着する。
本発明は、以上の構成よりなっている。
本発明を使用するときは、キーホルダー本体（１）に装着した鍵（３）を、鍵穴に差込んで、開錠または、施錠方向にレバーハンドルキーを変形させてレバーのように使用する。
【図面の簡単な説明】
【０００７】
【図１】本発明の斜視図
【図２】本発明の使用状態を示す側面図
【符号の説明】
【０００８】  １    キーホルダー本体
２    支点
３    鍵
４    フック金具
５    指先
【図１】
2009074338.tif 000003
【図２】
2009074338.tif 000004
(57)【要約】      （修正有）【課題】とうもろこし等によるバイオ油に代わり、竹による量産のバイオ油を作る方法を提供する。【解決手段】バイオ油（植物性油）の最優良製造法として植物性油を最大に含有し、すべての植物の中で一年間で最大に成長する竹の幹、枝、葉を粉末にして、バイオテクノロジーによってバイオ油を抽出し、製造する。【効果】バイオ油を自動車や工場等の燃料に使用し、地球の温暖化を防止する。地球の地下に存在する自然油（石油等）の減少を防ぎ、絶滅を遅らせる。【選択図】なし【特許請求の範囲】
【請求項１】
バイオ油の製造に竹を原料とする。
説明
竹の幹、枝、葉を粉末にして、バイオテクノロジーによってバイオ油を抽出する。
理由
▲１▼竹は植物性油を最大に含有する。
▲２▼竹はすべての植物の中で一年間で最大に成長する。
▲３▼とうもろこし等によるバイオ油に代わり、竹による量産のバイオ油を作る。
▲４▼バイオ油を自動車等の燃料に使用し、地球の温暖化を防止する。
▲５▼地球の地下に存在する自然油（石油等）の減少を防ぎ、絶滅を遅らせる。
▲６▼農林業の発展繁栄に貢献する。
▲７▼運送業の発展繁栄に貢献する。
▲８▼バイオ油製造工場の発展繁栄に貢献する。
【発明の詳細な説明】
【技術分野】
【０００１】竹の幹、枝、葉を粉末にして、バイオテクノロジーによってバイオ油を抽出する。
【背景技術】
【０００２】
【発明の開示】
【発明が解決しようとする課題】とうもろこし等によるバイオ油に代わり、竹による量産のバイオ油を作る。
【課題を解決するための手段】バイオテクノロジーを使用する。
【発明の効果】地球の温暖化を防止する。自然油（石油等）の減少を防ぎ、絶滅を遅らせる。
【発明を実施するための最良の形態】竹は植物性油を最大に含有する。
竹はすべての植物の中で一年間で最大に成長する。
【産業上の利用可能性】農林業の発展繁栄に貢献する。
運送業の発展繁栄に貢献する。
バイオ油製造工場の発展繁栄に貢献する。
(57)【要約】【課題】従来の窓の形状に見られる、２枚構造の引き違いガラス窓に対して、窓枠内全面を開放する事を課題とする。【解決手段】従来の窓の構造として一般的となっている引き違いの２枚構造のガラス窓が、片方のみを開放する形態を成していたのに対して、その構造を１枚の窓ガラスにて構成しそれを開ける際に従来の窓と同様に横へスライド移動させ、壁内に設けられた移動用レールを備えた窓ガラス用スペースに、窓ガラス全体を収納する事を可能にし、よって窓枠内の全面を開放する事が出来る。【選択図】図３
2009299324.tif 000002
【特許請求の範囲】
【請求項１】
従来の２枚構造の引き違い窓に対して、片引きの１枚構造とし、開放時には、従来の窓と同様に横へスライド移動させ、壁の中へ収納出来る形態とし、窓枠内の全面が開放出来る事を特徴とする全開放型窓。
【請求項２】
請求項１に記載の窓において、壁の中へ収納とせず、壁外に設けた戸袋に収納する事を特徴とする全開放型窓。
【発明の詳細な説明】
【技術分野】
【０００１】
本発明は、住宅の窓等の開口部に利用するところの窓用建具及び窓枠の構造に関する。
【背景技術】
【０００２】
従来、建築物の窓において、その構造として、アルミサッシによる引き違いの２枚構造となる形態が主流であり、又、開放を必要としない場合や、安全性等の為、嵌め殺しによるものも多い。又、全面が開放可能な窓もいくつかあり、そのうち特殊な構造としては、動力を利用としたもの(例えば、特許文献１参照。)があり、更には回転式により開放感を与えるもの(例えば、特許文献２参照。)などがある。 
【特許文献１】特開２００５−２５６４１１号公報
【特許文献２】実登第３０５１４５３号公報
【発明の開示】
【発明が解決しようとする課題】
【０００３】
そこで、従来あまり着目されていなかった窓枠内の全面を開放する事で得られる、いくつかの利点を再認識し、コストを抑え、操作性の簡単な構造の１枚ガラス窓を提供する。
【課題を解決するための手段】
【０００４】
従来の窓の構造として、２枚の窓ガラスにて構成し、引き違いによって、窓枠の片側、つまり半面を開放する構造となっていたのに対し、本発明は、その構造を、１枚の窓ガラスにて構成し、それを壁内に収納させる為に、壁内に収納用スペースを確保し、その上下には窓ガラス用のレールを設け、窓を開ける際には従来と同様に横へスライド移動させ、窓ガラス全体を壁内のスペースへ収納する事が可能となる。
【発明の効果】
【０００５】
よって、前述の参考物件の前者とは、構造上、電動ではなく、手動である為、コストやスペース面で大きく異なり、又、本発明の窓は、ガラスが１枚であるがゆえ、ガラスの合わせ目も生じない。更に後者と比べても、開閉する際の手間は簡単で、戸を固定する為のストッパーに係る作業もなく、又、構造も簡素であり、回転式窓の様に建物からはみ出る事もない、そして何より完全に開放出来る事が大きな特色である。これらにより、窓を閉じた状態でも、桟がない為、景観がよく、又、全開の場合には、２枚窓に比べ開放面積が倍になる為、換気効率がよく、インテリアの美的要素に貢献するものである。
【発明を実施するための最良の形態】
【０００６】
その構造として、まず１つ目をあげると、窓枠は１枚構造になる事によって、サッシの奥行ｗ(図１参照)が小さくなり、よって壁の内部に収納し易くなる。しかし、壁の内部に収納する事によって、従来の取り付け位置より室内側に移し、建物の外壁に影響されない場所に収納する必要がある(図３参照)。もう１つの構造として、耐震強度等の設計に基づき、壁内の強度確保の為、窓ガラスの収納が壁内に不可能となる場合、図４に示す様に、建物の外壁よりも外側に取り付け、開放時には戸袋に収納される構造とする事が考えられる。例えるなれば雨戸の構造に似ていると言える。又、戸袋を利用する際、隣接する部屋にも同じ形態の窓を設置しようとする場合、戸袋のスペースを省く為、２枚収納出来る構造とし、２つの部屋の戸袋として使用する事も可能と思われる。又、戸袋内へ収納する場合、ガラス等の重量を支える為の保持金具(図４の８)を外壁に強固に取り付ける必要がある。尚、レール部分３に関しては、窓の重量を考慮して、幅広のレールとし、戸車６を５〜６個程度設ける必要があると思われる。
【図面の簡単な説明】
【０００７】
【図１】本発明に係る窓の断面図
【図２】本発明に係る窓の下部レールの戸車部断面図
【図３】本発明に係る窓の壁内収納時における断面図
【図４】本発明に係る窓の壁外戸袋収納時における断面図
【図５】比較参考図        Ａ  従来の２枚戸による窓の閉鎖時の図        ａ  本発明に係る１枚戸による窓の閉鎖時の図        Ｂ  従来の２枚戸による窓の半開放時の図        ｂ  本発明に係る１枚戸による窓の半開放時の図        Ｄ  従来の２枚戸による窓の全開放時の図        ｄ  本発明に係る１枚戸による窓の全開放時の図
【符号の説明】
【０００８】
１  窓枠レール下部
２  窓枠レール上部
３  窓ガラスレール下部
４  窓ガラスレール上部
５  窓ガラス
６  戸車
７  戸袋
８  壁外用レール保持金具
９  外壁
１０  室内壁
【図１】
2009299324.tif 000003
【図２】
2009299324.tif 000004
【図３】
2009299324.tif 000005
【図４】
2009299324.tif 000006
【図５】
2009299324.tif 000007
(57)【要約】      （修正有）【課題】地球温暖化問題は、地球をあげて解決をせまられているが、地球上に住む我々人間にとって極めて重要な問題である。海水と、大気には、膨大な自然エネルギーが含まれているから、ここからエネルギーを採るように努めなければならない。【解決手段】自然エネルギーにはいろいろあるが、最も安価に安全に多量のエネルギーは、風力によるのが理想である。風は気まゝであり、思うようには吹いてくれない。我々は、タンカーのような大形の船を造っているので、これを利用し、洋上の風力エネルギーを取り入れるようにすれば、広い海上に多くのタンカーを浮かべることにより、充分な電気エネルギーを入手することが出来る。狭い日本を広く使う方法にもなり、仕事も増えるので雇用問題にも貢献することが出来る。戦艦大和は日本を亡ほしたが、このエコ船大和は日本を救うことが出来るかも知れない。以上のことを特徴とする。【選択図】なし【特許請求の範囲】
【請求項１】
タンカー型の船舶に、多数の風力発電機を設置し、この船を海洋上の適当な地域に停留させて発電を行ない、この電力を利用して、船内に設置した電気工場、又は機械工場又は化学工場等において、所要の製品を製造する洋上風力発電船の構造
【発明の詳細な説明】
【技術分野】
【０００１】  この発明は、風力発電機をタンカー型の船に設置し、気象学の資料を利用して海洋上の強風域を予測し、その地域に停留しながら、なるべく長時間発電し、その電力により、船内に設けたそれぞれの工場において所要の製品を作製する。
例えば、自動車用蓄電池の充電、海水を電気分解して作った酸素ボンベ、水素ボンベ等である。
【背景技術】
【０００２】  最近特に環境問題を重視して、ＣＯ２の少い自然エネルギーが求められている。
自然エネルギーにもいろいろあるが、地球どこにもあり、量も無限に多くあるのは、大空の風エネルギーである。
大空の中には地球創生以来４５億の間、太陽からの光エネルギーを吸収し、貯えて来ているので、驚くべき多量のエネルギーが、熱として保存された形となっている。
風力発電機も改良されて、効率は良くなったが、丘の上とか海岸とかの特定の場所に固定しておいたのでは、必ずしも効率はよくない。
そこで、今日、進んだ造船技術、気象技術と併せて、三者を融合した形とすることにより、実用出来る形とすることが出来ることに気がついたのである。
【発明が解決しようとする課題】
【０００３】  周囲を海洋に囲まれたわが國では、船を自由に操作して、常時発電可能であるような状態に船を配置することが出来る。
風の来るのを待つのではなく、気象状況を研究して、気圧配置を研究することにより、高気圧、低気圧の配置を予測し、風力を有効に把握することが出来るようにすることが、可能となる。
戦艦大和は、優れた性能を持ち乍ら使い方を誤ったため日本を亡ぼして了ったが、この技術を利用すれば、風力発電機を活用して、大いに発電効果を挙げることが出来るので、気象技術を併せて利用することにより、無料で無限の再生エネルギーを利用することが、今日の環境問題を解決することも不可能ではないと思われる。
【課題を解決するための手段】
【０００４】  造船学と、気象学と、発電機を合理的に融合して活用するためには、周囲の海洋を数個の地区に分割し、それぞれを学位地区として責
2009299688.tif 000002
最も効率的に船を操作する必要がある。
環境対策としての太陽光発電も目的によっては有効であるが、電力供給施設としては不十分である。これは日本の土地の上を覆うことになるので、国土を狭く利用しているわけであるが、この発明は、無限に広い海洋を利用するわけであるから、狭い日本を広く利用するわけであって、未使用資源を有効に使うことを意味する。
【発明の効果】
【０００５】  今日使用されているエネルギーは、いろいろあるわけであるが、
１、最も多く使われているのは、いわゆる石油や石炭のように化石燃料があるが、これはいづれも焼いて熱として水蒸気を発生させタービンによって電力を得ているが、ＣＯ２の発生を避けることは出来ず、資源料も有限であるので、半世紀程度の埋蔵量に過ぎない。
２、原子力発電エネルギーも、設備費と管理費が膨大であると共に、放射能の危険が避けられないので、むしろ有害である。
３、地熱利用発電も発電は可能であっても、地熱を利用するので、地球温暖化に貢献こそすれ、人間社会に望ましいものではない。
４、大陽光発電も前述した通りで充分ではない。
この際、環境問題を根本的に解決するためには、この発明に云う風力発電を中心とすることが最も望ましいと云える。
【図面の簡単な説明】
【０００７】
【図１】洋上のタンカーを真上から見た鳥観図
【符号の説明】
【０００８】１．    船体
２．    船橋
３．    電気工場
４．    機械工場
５．    電機工場
６．    風力発電機
７．    ディーゼルエンジン
８．    推進プロペラ
【図１】
2009299688.tif 000003